(57)【要約】【課題】  少ない工程で安価に、規格の異なる種々の紙箱の製造にも容易に対応することができる印籠型紙箱の製造方法であり、また従来装置に比べて装置が小型で安価であり、また切り屑の発生も少ないので品質の高い印籠型紙箱を製造できる。【解決手段】  中箱体に印籠嵌合する回動可能な蓋体からなる印籠型紙箱の製法であり、蓋形成部と外枠部１４からなる外箱体１２に木型１１を嵌合して１の枠片に第１の切込みを形成し、木型を抜いた外箱体の外面に化粧紙１６を被着して化粧外箱体１２´を形成し、化粧外箱体１２´に木型１１を再度嵌合し、外枠部１４の切込み済枠片１４Ａ以外の枠片１４Ａ，１４Ｂ，１４Ｂに第２の切込み１７を形成することにより化粧外箱体１２´を蓋体と外枠体に切り離し、木型１１を抜き出して外枠体を中箱体に嵌合して貼着する。【選択図】  図５
2006159639.tif 000002
【特許請求の範囲】
【請求項１】
底部の外縁から内枠部が起立した形状からなる中箱体と、蓋部の外縁から嵌合枠部が起立した形状からなり、該中箱体に印籠嵌合する回動可能な蓋体とからなる印籠型紙箱の製造方法であって、蓋形成部と外枠部からなる外箱体に木型を嵌合し、該外枠部を形成する１の枠片に第１の切込みを形成し、木型を抜いた該外箱体の外面に化粧紙を被着して化粧外箱体を形成し、該化粧外箱体に木型を再度嵌合し、前記外枠部の切込み済枠片以外の枠片に第２の切込みを形成することにより該化粧外箱体を前記蓋体と外枠体に切り離し、前記木型を抜き出して該外枠体を前記中箱体に嵌合して貼着するようにしてなる印篭型紙箱の製造方法。
【請求項２】
前記枠片に第１の切込みを形成した後、該枠片に補強紙を貼着することを特徴とする請求項１記載の印籠型紙箱の製造方法。
【請求項３】
基台と、進退可能なテーブル本体を有し、該基台に設けられた可動テーブルと、該可動テーブルの進退方向に沿った側方に位置して前記基台に搭載され、該可動テーブルの上方に突出した状態で駆動部により回転駆動される切断丸刃を有する切込み形成機構とから構成してなる印籠型紙箱の切込み形成装置。
【請求項４】
前記可動テーブルは、前記基台に設けたテーブル昇降機構により任意の高さに調整可能であることを特徴とする請求項３記載の印籠型紙箱の切込み形成装置。
【請求項５】
前記切込み形成機構は、前記切断丸刃の近傍に位置して箱案内ローラ体を備えていることを特徴とする請求項３記載の印籠型紙箱の切込み形成装置。
【請求項６】
請求項３記載の印籠型紙箱の切込み形成装置に、外箱体の切り屑が流動可能な空隙を有する吸引用木型を用いて切り屑を吸引除去する切り屑吸引機構を設けたことを特徴とする印籠型紙箱の切込み形成装置。
【発明の詳細な説明】
【技術分野】
【０００１】
本発明は、中箱体に嵌合して施蓋する回動可能な蓋体を有して構成され、菓子箱等に広く用いられている印籠型紙箱の製造方法及びこの印籠型紙箱を製造するための切込み形成装置に関する。
【背景技術】
【０００２】
古くから使用されている印籠型紙箱は中箱体に蓋体が被さるように外側から嵌合する構造からなり、中箱体及び蓋体は厚紙で箱状に夫々形成したものからなっている。そして、この印籠型紙箱の製造には、金型と押切り刃を用い、中箱体と蓋体の夫々に金型を嵌合して外側から押し切り刃を押し当てて切断する装置が従来用いられている。
【０００３】
また、紙製容器の製造方法として、紙製筒状管体を所要の長さに切断して紙製容器にする技術が提案されている（特許文献１）。
【特許文献１】特開平９−２５４９６４号公報
【発明の開示】
【発明が解決しようとする課題】
【０００４】
従来の製造装置は、紙箱の４面を同時に切断する自動機械に構成してあるため、同一の規格の紙箱を大量に製造することには向いているが、装置が大型であるという欠点、価格が高いという欠点、金型が高価であるという欠点、規格の異なる紙箱の製造、即ち多品種少量生産に向いていないという欠点がある。また、特許文献１に示す紙製容器の製造方法は、箱型の容器の製造には対応できないという欠点がある。
【０００５】
本発明は上述した従来技術の欠点に鑑みなされたもので、少ない工程で安価に紙箱を製造することができるし、規格の異なる種々の紙箱の製造にも容易に対応することができる印籠型紙箱の製造方法を提供すること、また従来装置に比べて装置が小型であるし安価であり、また切り屑の発生も少なく、発生した切り屑は除去することができるので品質の高い印籠型紙箱を製造することができる切込み形成装置を提供することを目的とする。
【課題を解決するための手段】
【０００６】
上述した課題を解決するために構成された請求項１に係る発明の手段は、底部の外縁から内枠部が起立した形状からなる中箱体と、蓋部の外縁から嵌合枠部が起立した形状からなり、該中箱体に印籠嵌合する回動可能な蓋体とからなる印籠型紙箱の製造方法であって、蓋形成部と外枠部からなる外箱体に木型を嵌合し、該外枠部を形成する１の枠片に第１の切込みを形成し、木型を抜いた該外箱体の外面に化粧紙を被着して化粧外箱体を形成し、該化粧外箱体に木型を再度嵌合し、前記外枠部の切込み済枠片以外の枠片に第２の切込みを形成することにより該化粧外箱体を前記蓋体と外枠体に切り離し、前記木型を抜き出して該外枠体を前記中箱体に嵌合して貼着するようにしたことにある。
【０００７】
そして、前記枠片に第１の切込みを形成した後、該枠片に補強紙を貼着してもよい。
【０００８】
また、請求項３に係る発明を構成する手段は、基台と、進退可能なテーブル本体を有し、該基台に設けられた可動テーブルと、該可動テーブルの進退方向に沿った側方に位置して前記基台に搭載され、該可動テーブルの上方に突出した状態で駆動部により回転駆動される切断丸刃を有する切込み形成機構とからなる。
【０００９】
そして、前記可動テーブルは、前記基台に設けたテーブル昇降機構により任意の高さに調整可能にするとよい。
【００１０】
また、前記切込み形成機構は、前記切断丸刃の近傍に位置して箱案内ローラ体を備えた構成にするとよい。
【００１１】
更に、請求項３記載の印籠型紙箱の切込み形成装置に、外箱体の切り屑が流動可能な空隙を有する吸引用木型を用いて切り屑を吸引除去する切り屑吸引機構を設けた構成にするとよい。
【発明の効果】
【００１２】
本発明は上述の構成にしたから、下記の諸効果を奏する。
（１）化粧紙を貼着した外箱体に回転する切断丸刃で切込みを形成して蓋体を形成するから、製造効率に優れているし、仕上がりのよい印籠型紙箱を製造できる。
（２）外箱体は可動テーブルにより水平移動し、回転する切断丸刃により切込みを形成するので、切断面の仕上がりが綺麗であり品質の高い紙箱を製造することができる。
（３）可動テーブルは高さの調整が可能であるから、深さの異なる種々の規格の紙箱の製造に対応することができる。
（４）切込み形成機構は、切断丸刃の近傍に位置して箱案内ローラ体を備えているから、切込み形成時に紙箱、特に化粧紙に擦り傷を付けることがなく高品質の紙箱を製造することができる。
（５）外箱体の切り屑は流動可能な空隙を有する吸引用木型を用いて吸引除去する切り屑吸引機構を設けたから、紙箱内に切り屑が残って品質を損なう事態を解消することができる。
【発明を実施するための最良の形態】
【００１３】
以下、本発明の実施の形態に係る印籠型紙箱の製造方法について、図１乃至図６を参照しつつ説明する。先ず、印籠型紙箱１の構成について説明する。２は該印籠型紙箱１を構成する厚紙製の中箱体を示し、該中箱体２は平面略四角形に形成した四角形の底部３と、該底部３の４辺から起立する内枠部４から構成してある。そして、該内枠部４は底部３の一対の長辺から起立した長手の内枠片４Ａ、４Ａと、一対の短辺から起立し、該内枠片４Ａ、４Ａに連結する連結内枠片４Ｂ、４Ｂとから形成してあり、中箱体２の内部は、収容部５になっている。
【００１４】
６は前記中箱体２に印籠嵌合して施蓋する回動可能な厚紙製の蓋体を示す。７は該蓋体６を構成する蓋部で、該蓋部７は中箱体２の内枠部４の外形と同形の四角形に形成してある。８は該蓋部７の４辺から起立する嵌合枠部で、該嵌合枠部８は一対の長辺から起立した長手の嵌合長片８Ａ、８Ａと、一対の短辺から起立し、該嵌合長片８Ａ、８Ａに連結する嵌合短片８Ｂ、８Ｂとからなっている。９は中箱体２の内枠部４に貼着した外枠体で、該外枠体９は一対の長枠片９Ａ，９Ａと、該長枠片９Ａ，９Ａに連結する一対の短枠片９Ｂ，９Ｂとかなっている。
【００１５】
次に、第２の実施の形態として、上述した構成からなる印籠型紙箱１の製造方法に用いる切込み形成装置について、図７乃至図９を参照しつつ説明する。図において、２１は切込み形成装置、２２は該切込み形成装置２１を構成する基台を示す。２３は該基台２２を構成する４本の支持脚で、該各支持脚２３は下端側に高さ調整アジャスタ２３Ａを有し、上端側には縦方向にガイド穴２３Ｂが形成してある。２４、２４は前後の支持脚２３，２３に架設した上部連結材で、その下方に下部連結材２５，２５が架設してある。そして、上部連結材２４，２４間に横連結材２６，２６が架設してあり、基台２２は平面において前後方向に長尺の長方形をなしている。
【００１６】
２７は可動テーブルで、該可動テーブル２７は基台２２と略同形の昇降枠体２８と、該昇降枠体２８の長手方向両端側から下方に突出し、前記支持脚２３のガイド穴２３Ｂに摺動可能に挿入され、昇降枠体２８を水平状態で昇降させる４本のガイド軸２９，２９、・・と、昇降枠体２８の上面に幅方向に離間して長手方向に設けた一対のガイドレール３０，３０と、該ガイドレール３０，３０を走行する走行輪３１，３１、・・を下面に有し、矢示イ、ロ方向に水平移動する平板からなるテーブル本体３２とから構成してある。
【００１７】
３３は前記可動テーブル２７を昇降させるテーブル昇降機構を示す。３４は該テーブル昇降機構３３を構成する支持フレームで、該支持フレーム３４は基台２２に固着される前後一対の架設材３４Ａ、３４Ａと、該架設材３４Ａ、３４Ａに間隙を存して架設した一対の連結材３４Ｂ、３４Ｂとから構成してある。３５、３５は前記支持フレーム３４に搭載した一対のウォームギヤで、該各ウォームギヤ３５のウォームホイールは前記連結材３４Ｂ，３４Ｂに設けたギヤボックス３５Ａに格納し、該ウオームホイールに歯合するウォーム３５Ｂは上端を可動テーブル２７の昇降枠体２８に接続してある。そして、該ウォームギヤ３５、３５は支持フレーム３４に軸受けを介して設けられ、基端に回動ハンドル３６Ａを有する操作軸３６によって回動操作するようになっている。
【００１８】
３７はテーブル本体３２の進退方向に沿った側方に位置して基台２２に搭載した回転切断機構を示し、該回転切断機構３７はボックス状に形成され、側板３８Ａに横長のスリット状の刃先突出窓３８Ｂが開口形成してあるケーシング３８と、前記刃先突出窓３８Ｂから刃先を若干、３〜５ｍｍ突出させた状態でケーシング３８内に回転可能に軸支された切断丸刃３９と、プーリー４０、４１、駆動ベルト４２を介して該切断丸刃３９を毎分約３，０００回転の高速で回転駆動する電動モータ４３とから構成してある。
【００１９】
また、４４、４４は切断する外箱体１２を覆う化粧紙１６がケーシング３８の側板３８Ａに擦って傷が付くのを防止するための一対の箱案内ローラ体を示す。該各箱案内ローラ体４４は縦断面略コ字状の基板に複数個のローラ４４Ａ，４４Ａ、…を回動可能に軸支した構成からなり、刃先突出窓３８Ｂの横方向両側に位置して側板３８Ａに形成した横長の開口３８Ｃ、３８Ｃに各ローラ４２Ａを０．１ｍｍ程度側板３８Ａから突出した状態で設けてある。
【００２０】
本実施の形態に係る切込み形成装置２１は上述の構成からなるが、以下に該装置２１を用いる印籠型紙箱１の製造方法について説明する。図において、１１は製造方法に用いる木型である。１２は蓋体６と外枠体９を形成するために形成した外箱体で、該外箱体１２は底形成部１３と、外枠部１４とから形成してある。この外枠体１２に木型１１を嵌合して切込み形成時に変形しないようにし、外枠部１４を形成する１の面の長枠片１４Ａに全長にかけて第１の切込み１５を形成する。この第１の切込み形成工程は、テーブル昇降機構３３を操作して可動テーブル２７のテーブル本体３２の高さを調整し、切断丸刃３９に対して外箱体１２の切込み形成位置を合わせた後、電動モータ４３を始動して切断丸刃３９を高速回転させ、テーブル本体３２上の外箱体１２を箱案内ローラ体４４に案内させながら矢示イ方向に押動する。これにより、水平移動する外箱体１２はその１の長枠片１４Ａに第１の切込み１５を形成することができる。
【００２１】
第１の切込み１５を形成した外箱体１２は、図４に示すように化粧紙１６を貼着して外面を全面的に覆って化粧外箱体１２´に形成する。この外箱体１２に化粧紙１６を貼着する作業は既存の自動機械により行うことができる。次に、化粧外箱体１２´に木型１１を再度嵌合して切込み形成時の変形が生じないようにし、可動テーブル２７上で切断丸刃３９により、外枠部１４の他の長枠片１４Ａ及び短枠片１４Ｂ、１４Ｂの３片に第２の切込み１７を形成する。この際、化粧外箱体１２´の各外枠片１４Ａ，１４Ｂ，１４Ｂを覆う化粧紙１６は箱案内ローラ体４４、４４に当接し、ケーシング３８の側板３８Ａには直接接しないようにしたから、化粧紙１６に擦傷が付いて紙箱の品質を損なうことを防止できる。
【００２２】
このようにして、化粧外箱体１２´を蓋体６と外枠体９に形成する。最後に、化粧外箱体１２´から木型１１を抜き取り、外枠体９を中箱体２に嵌合し、接着剤で貼着することにより、印籠型紙箱１を製造することができる。
【００２３】
なお、化粧紙１６に蓋体６を回動可能に支持するための強度性が十分でない場合は、第１の切込み１５を形成した段階で、補強紙を貼着するとよい。
【００２４】
図６は本実施の形態の変形例を示す。１８は傾斜切込み形成台を示し、該傾斜切込み形成台１８はテーブル本体３２に乗る下面１９Ａが水平面になり、化粧外箱体１２´を乗せる上面１９Ｂが傾斜面になった台本体１９と、該台本体１９の傾斜面１９Ｂにねじ止め手段により変位可能、かつ着脱可能に設けた一対の係止用角木２０，２０とから構成してある。
【００２５】
この傾斜切込み形成台１８を用いることにより、蓋体６が傾斜縁を有する印籠型紙箱１を構成するための化粧外箱体１２´に傾斜した第２の切込み１７´を容易に形成することができる。また、一対の係止用角木２０，２０の間隔を調整することにより、大きさの異なる化粧外箱体１２´への形成に対応することができる。
【００２６】
次に、第２の実施の形態に係る切込み形成装置を図１０乃至図１２に基づき説明する。なお、第１の」実施の形態の構成要素と同一の構成要素には同一の符号を付して援用し、その説明を省略する。図において、５１は切り屑吸引機構、５２は該切り屑吸引機構５１を構成する吸引用木型を示し、該吸引用木型５２は紙箱の内法寸法と同形に形成した下型板５３と、該下型板５３と同形で、中央に吸引口５４Ａを形成した上型板５４と、該上型板５４と下型板５３との間に切り屑が流動可能な空隙５５を形成すべく挟装した円板状の２枚のスペーサー５６，５６とから構成してある。なお、形成する空隙５５は、切込み形成時の紙箱の変形を防止し、かつ切り屑が流動できる間隔が望ましく、本実施の形態では約５ｍｍに設定してある。また、スペーサーには、小さいサイズのものを互いに接しない状態で４枚挟装してもよい。
【００２７】
５７は紙箱の切り屑を吸引除去するための切り屑吸引機で、該切り屑吸引機５７は、吸引機本体５７Ａと、該吸引機本体５７Ａに接続され、先端側が前記上型板の吸引口５３Ａに挿入して接続する可撓性の吸引ホース５７Ｂとから構成してある。
【００２８】
従来、紙箱の素材によっては切込みを形成する際に切り屑が出て箱内に残り、紙箱の品質を損なう原因になることから、紙箱製造後に切り屑を除去する作業が必要であったが、本実施の形態によれば、切込み形成時に切り屑を吸引除去するから、作業効率を損なうことなく高品質の紙箱を製造することができる。
【図面の簡単な説明】
【００２９】
【図１】図１乃至図６は本発明の第１の実施の形態に係り、図１は蓋部を開いた状態で示す印籠型紙箱の斜視図である。
【図２】外箱体に木型を嵌合する工程を示す説明図である。
【図３】外箱体に第１の切込みを形成する工程を示す説明図である。
【図４】外箱体の外面に化粧紙を貼着する工程を示す説明図である。
【図５】外箱体を蓋部と外枠体に分離する工程を示す説明図である。
【図６】傾斜切込み形成台の斜視図である。
【図７】図７乃至図９は第２の実施の形態に係り、図７は一部を破断にして示す切込み形成装置の正面図である。
【図８】一部を破断にして示す切込み形成装置の平面図である。
【図９】一部を破断にして示す切込み形成装置の側面図である。
【図１０】図１０乃至図１２は第３の実施の形態に係り、図１０は吸引用木型の斜視図である。
【図１１】上型板を外した吸引用木型の斜視図である。
【図１２】切り屑吸引機構の使用状態説明図である。
【符号の説明】
【００３０】
１          印籠型紙箱
２          中箱体
３          底部
４          内枠部
６          蓋体
７          蓋部
８          嵌合枠部
９          外枠体
１１        木型
１２        外箱体
１３        底形成部
１４        外枠部
１５        第１の切込み
１６        化粧紙
１７        第２の切込み
２１        切込み形成装置
２２        基台
２７        可動テーブル
３３        テーブル昇降機構
３７        回転切断機構
３９        切断丸刃
４４        箱案内ローラ体
５１        切り屑吸引機構
５２        吸引用木型
５５        空隙
５７        吸引機
【図１】
2006159639.tif 000003
【図２】
2006159639.tif 000004
【図３】
2006159639.tif 000005
【図４】
2006159639.tif 000006
【図５】
2006159639.tif 000007
【図６】
2006159639.tif 000008
【図７】
2006159639.tif 000009
【図８】
2006159639.tif 000010
【図９】
2006159639.tif 000011
【図１０】
2006159639.tif 000012
【図１１】
2006159639.tif 000013
【図１２】
2006159639.tif 000014